(57)【特許請求の範囲】
【請求項１】
被研掃物を立てて移送する移送コンベヤを配設し、該移送コンベヤの両側には被研掃物が通過できる間隔を保持して一対の回転主軸を回転自在に立設すると共に、該回転主軸を中心とした所定半径の同心円上に複数本の軸体を回転主軸に沿って所定間隔を保持して一体化して取り付け、各軸体にその長手方向に沿って所定の間隔で複数枚の落下止め用リングを取り付け、更に各落下止め用リングの間の各軸体には軸体の外径より大きい内径を有する板より形成した研掃用リングを所定枚数ずつ分散させて装着したことを特徴とする足場研掃機。
【請求項２】
前記回転主軸に沿って一体化した軸体は、上方位置になるにしたがって回転主軸より遠ざかる方向に傾斜させたことを特徴とする請求項１記載の足場研掃機。
【請求項３】
前記移送コンベヤは被研掃物を研掃部に対して所定回数往復動させて被研掃物を最終的に送り込み側より取り出す構成としたことを特徴とする請求項１又は２記載の足場研掃機。
【発明の詳細な説明】
【０００１】
【産業上の利用分野】
本発明は、建築工事の仮設足場に使用される足場枠や足場板に付着する付着物、例えばコンクリートや塗料を除去する足場研掃機に関する。
【０００２】
【従来の技術】
建築物の建築工事においては、建築物の側近に足場枠を建築物の高さに応じて何段にも積み上げ、各足場枠間に足場板を掛け渡して仮設足場を形成して建築工事を行っている。これらの足場枠や足場板にはコンクリート打設時のコンクリートや、外壁塗装時の塗料が付着することがあり、工事完了に伴い足場を解体した後、次回の工事に備えてそれらの付着物を取り除く作業を行っている。
【０００３】
従来、この足場枠等の付着物は足場研掃機と呼ばれる装置により除去されており、例えば、本出願人が先に出願した特開平４−２０６５７号公報に記載の如く、架台上に被研掃物が通過する間隔を保持して一対の回転軸をほぼ水平に配設し、該回転軸に研掃用リングを装着し、被研掃物を前記一対の回転軸の間を横たえて通過させる間に回転する研掃用リングに接触させて付着物を除去するようにした足場研掃機がある。
【０００４】
【発明が解決しようとする課題】
しかしながら、上記従来の足場研掃機では研掃用リングを装着した一対の回転軸をほぼ水平に配設しており、被研掃物も横たえて送り込むように構成されているために装置の幅が大きくなり、設置するのに広いスペースを必要としていた。また、被研掃物も研掃具に対し一方側から送り込み、他方側から取り出すようにしたものが多く、研掃作業の際に被研掃物の送り手と取り出し手の作業者が２名必要であった。
【０００５】
本発明は上記の点に鑑み、装置をコンパクトにして省スペース化と低コスト化を図ると共に、１名でも研掃作業が可能となるようにした足場研掃機を提供することを目的とする。
【０００６】
【課題を解決するための手段】
上記の目的を達成するために、本発明の請求項１記載の足場研掃機は、被研掃物を立てて移送する移送コンベヤを配設し、該移送コンベヤの両側には被研掃物が通過できる間隔を保持して一対の回転主軸を回転自在に立設すると共に、該回転主軸を中心とした所定半径の同心円上に複数本の軸体を回転主軸に沿って所定間隔を保持して一体化して取り付け、各軸体にその長手方向に沿って所定の間隔で複数枚の落下止め用リングを取り付け、更に各落下止め用リングの間の各軸体には軸体の外径より大きい内径を有する板より形成した研掃用リングを所定枚数ずつ分散させて装着したことを特徴としている。
【０００７】
また、本発明の請求項２記載の足場研掃機は、前記回転主軸に沿って一体化した軸体は、上方位置になるにしたがって回転主軸より遠ざかる方向に傾斜させたことを特徴としている。
【０００８】
また、本発明の請求項３記載の足場研掃機は、前記移送コンベヤは被研掃物を研掃部に対して所定回数往復動させて被研掃物を最終的に送り込み側より取り出す構成としたことを特徴としている。
【００１０】
【作用】
本発明の請求項１記載の足場研掃機にあっては、省スペース化を図るために、移送コンベヤに被研掃物を立てた状態で移送するようにしている。そして、移送コンベヤの両側に立設した一対の回転主軸に装着した研掃用リングを高速回転させ、通過する被研掃物に研掃用リングを接触させて付着物を擦り落とすようにしている。また、研掃用リングを軸体に所定間隔で取り付けた落下止め用リングの間に分散させて装着し、研掃具を回転させた時に研掃用リングの自重を落下止め用リング単位に分散するようにし、これによってリング間の摩擦力を少なくしてリングが外方向に飛び出し易くし、それぞれのリングを独立させて高速回転可能としてその研掃効果を高めるようにしている。
【００１１】
また、本発明の請求項２記載の足場研掃機にあっては、研掃用リングを上方位置になるほど回転主軸より遠ざかる方向に傾斜させた軸体に装着し、研掃具を回転させる時に研掃用リングに上方の作用力を働かせ、上方に若干浮き上がらせて研掃用リング間の摩擦力を少なくし、研掃用リングを外方向に飛び出し易くして前記と同様に研掃効果を高めるようにしている。
【００１２】
また、本発明の請求項３記載の足場研掃機によれば、被研掃物を研掃部に対し所定回数往復動させるようにして被研掃物を最終的に送り込み側より取り出すようにしている。
【００１４】
【実施例】
以下本発明の実施例を図面に基づいて説明する。
【００１５】
足場研掃機は被研掃物を移送する移送コンベヤ１と該移送コンベヤ１により移送される被研掃物の付着物を除去する研掃部２とよりなっている。
【００１６】
移送コンベヤ１は、細長いフレーム３の上面に走行用レール４をフレーム３の長手方向に沿って敷設し、該走行レール４上に、被研掃物である足場枠を搭載して移送する走行台車５を配設している。該走行台車５の下部には前記走行レール４上をスムーズに走行可能なように車輪６を配設してあり、また、走行台車５の上部には搭載する足場枠の建地や横地を支えて固定する支持金具７を適宜間隔で取り付けている。
【００１７】
更に、フレーム３の両端には回転軸８、９に取り付けたスプロケット１０、１１を配設し、これらのスプロケット１０、１１に移送用チェーン１２を巻回すると共に、該移送用チェーン１２の両端を前記走行台車５の両端に接続している。そして、フレーム３の一端部にモータ１３を配設し、該モータ１３に取り付けたスプロケット１４と前記回転軸８の端部に取り付けたスプロケット１５をチェーン１６により連結し、モータ１３の正逆回転により移送用チェーン１２を介して前記走行台車５を前後に移動自在としている。
【００１８】
また、フレーム３の両側には、走行台車５に被研掃物を搭載して移送する際に、被研掃物が側方に倒れないようにフレーム３の長手方向に沿って被研掃物の大きさに応じた案内板１７を配設している。
【００１９】
研掃部２は、フレーム３の中央部付近の両側に配設した支持枠１８に被研掃物が通過できる間隔を隔てて研掃具１９を立設したものである。
【００２０】
研掃具１９は、図３に示すように、支持枠１８の上下位置に取り付けた軸受２０にそれぞれ回転主軸２１をほぼ垂直に軸支して回転自在とし、該回転主軸２１に複数枚の適宜半径の落下止め用リング２２を固着している。また、回転主軸２１を中心とした所定半径の同心円上に複数本の軸体２３を落下止め用リング２２を貫通させて回転主軸２１と平行に一体化して取り付けている。そして各落下止め用リング２２間の軸体２３に薄板から形成したドーナツ状の研掃用リング２４を多数装着している。
【００２１】
研掃用リング２４は内径が軸体２３の外径より大きくて軸体２３に遊嵌状態で取り付けてある。なお、軸体２３に固着した落下止め用リング２２の間に研掃用リング２４を分散させて装着しているので、研掃用リング２４の自重を各落下止め用リング２２で分散して支持することができ、回転主軸２１を回転させた時に研掃用リング２４を遠心力でスムーズに外方向に飛び出させてそれぞれのリング２４を独立させて高速回転できるようになっている。
【００２２】
また、研掃用リング２４の自重に対応する別の方法として、図５に示すように、研掃用リング２４を装着する軸体２３を上方位置になるほど回転主軸２１から遠ざかって上部に向かって開くように傾斜を持たせるようにする。これによって、回転主軸２１を回転させると、その遠心力によって研掃用リング２４は傾斜した軸体２３に沿って上方に向かう力を付与され、自重に対抗して若干上方に浮きあがり、スムーズに外方向に飛び出すことができる。
【００２３】
２５は回転主軸２１を回転駆動する駆動用モータであって、支持枠１８側面のモータ固定板２６に取り付けてあり、該駆動用モータ２５に装着したスプロケット２７と回転主軸２１に装着したスプロケット２８にチェーン２９を巻回し、駆動用モータ２５により回転主軸２１を回転駆動することにより研掃具１９を回転するようにしている。
【００２４】
しかして、足場研掃機により被研掃物である足場枠等の付着物を除去する時には、先ず移送コンベヤ１のモータ１３を駆動して走行台車５が被研掃物の送り込み側に来るようにし、また、駆動用モータ２５を駆動して研掃具１９を回転させる。
【００２５】
そして、前記走行台車５の支持金具７に被研掃物である足場枠の建地又は横地を嵌め入れ、被研掃物を立てた状態で研掃具１９に向かって送り込む。研掃具１９は高速回転しており、被研掃物が研掃具１９の間を通過する間に高速回転する研掃用リング２４が被研掃物に対して両側から当たって被研掃物の付着物を擦り落とす。
【００２６】
この研掃用リング２４は軸体２３に対して遊嵌状態で装着しているため、被研掃物に衝突する度に後方に退きながら被研掃物の表面の付着物を擦り落とす。また研掃用リング２４は、軸体２３に分散させて装着したり、研掃用リング２４を装着する軸体２３を傾斜させることによって研掃具１９を回転させた時に研掃用リング２４の自重により研掃用リング２４相互間の摩擦力が大きくなって外方向に飛び出しにくくなるといった欠点を少なくし、研掃用リング２４の被研掃物に対する衝突作用を高めるようにしている。
【００２７】
被研掃物が上記研掃具１９を通過し終えると、モータ１３を逆回転させて走行台車５を後戻りさせる。これによって再び被研掃物が研掃具１９の間を通過し、再度研掃具１９により付着物の除去が行われる。そして走行台車５が元の送り込み位置に戻ってきて停止すると、被研掃物を支持金具７より取り出して別の被研掃物を支持金具７に嵌め入れて研掃具１９に向かって送り込むのである。
【００２８】
この時、移送コンベヤ１上を何回往復させるかは被研掃物の付着物の除去状況によって判断すると良く、付着物が多くて１回の往復では付着物の除去が不十分な場合には何度か往復動させるようにすると良い。
【００２９】
【発明の効果】
以上のように本発明の請求項１記載の足場研掃機にあっては、被研掃物を移送コンベヤ１によって立てた状態で研掃具１９に送り込み、研掃具１９の回転する研掃用リング２４によって被研掃物を立てた状態で研掃して付着物を取り除くようにしたので、設置面積が狭くて済み、装置の省スペース化と低コスト化を図ることができる。また、研掃用リング２４を軸体２３に落下止め用リング２２を介して分散させて装着したので、研掃具１９を回転させる時に研掃用リング２４の自重が分散されることによりリング２４間の摩擦力が少なくなってリング２４が外方向に飛び出し易くなり、それぞれのリング２４が独立して高速回転できて研掃効果を高めることができる。
【００３０】
また、本発明の請求項２記載の足場研掃機によれば、研掃用リング２４を装着する軸体２３を上方位置ほど回転主軸２１より遠ざかる方向に傾斜させたので、研掃具１９を回転させる時に研掃用リング２４に上方の作用力が働き、上方に若干浮き上がって研掃用リング２４間の摩擦力が少なくなり、リング２４が外方向に飛び出し易くなってそれぞれリング２４が独立して高速回転できて研掃効果を高めることができる。
【００３１】
また、本発明の請求項３記載の足場研掃機によれば、被研掃物を研掃具１９の間を所定回数往復動させ、被研掃物を最終的に送り込み側より取り出すようにしたので、１名の作業者によって研掃作業を行うことができる。
【図面の簡単な説明】
【図１】本発明に係る足場研掃機の正面図である。
【図２】図１の平面図である。
【図３】図１の要部を示す概要図である。
【図４】図３の平面図である
【図５】本発明に係る足場研掃機の別の実施例の要部を示す概要図である。
【符合の説明】
１…移送コンベヤ                  ２…研掃部
１９…研掃具                      ２１…回転主軸
２２…抜け止め用リング            ２３…軸体
２４…研掃用リング                ２５…駆動用モータ
【図１】
0003606531.tif 000002
【図２】
0003606531.tif 000003
【図３】
0003606531.tif 000004
【図４】
0003606531.tif 000005
【図５】
0003606531.tif 000006